(57)【要約】【課題】  変圧器等の静止誘導電気機器から発生する様々な周波数の騒音や振動を単純な構造により低減できる防音装置を提供する。【解決手段】  タンク３内に電気機器本体１と絶縁油２を収納する静止誘導電気機器Ａにおいて、タンク側面３ａと遮音板５の間の絶縁油２が遮音板５とタンク側面３ａ間から吐出又は吸引できるようにタンク側面３ａから一定の間隔を開けて取り付けた遮音板５がオイルダンパーとして作用することで絶縁油２を伝播する電気機器本体１から発生する様々な周波数の騒音や振動を吸収することができる。【選択図】        図１
2019149490.tif 000002
【特許請求の範囲】
【請求項１】
タンク内に電気機器本体と絶縁油を収納する静止誘導電気機器において、タンク内部のタンク側面から一定の間隔を開けて可動するように遮音板を取り付け、該遮音板が前記電気機器本体から発生する様々な周波数の騒音や振動を受けて前記タンク側面に対し垂直に動くことで、前記遮音板とタンク側面間の絶縁油が、前記遮音板とタンク側面間から吐出又は吸引させ、この絶縁油が前記遮音板とタンク側面間を移動するときに、発生する絶縁油の摩擦抵抗によって、前記遮音板が電気機器本体から発生する騒音や振動を吸収するオイルダンパーとして作用するように構成したことを特徴とする静止誘導電気機器の防音装置。
【請求項２】
タンク内に電気機器本体と絶縁油を収納する静止誘導電気機器において、タンク内部のタンク側面から一定の間隔を開けて可動するように遮音板を取り付け、かつ、前記遮音板の外周を形成する４辺から一定の間隔を開けてタンク側面に空隙板を取り付け、前記遮音板が電気機器本体から発生する様々な周波数の騒音や振動を受けて前記タンク側面に対し垂直に動くことで、前記遮音板とタンク側面間の絶縁油が遮音板と空隙板の間から吐出又は吸引させ、この絶縁油が前記遮音板とタンク側面間を移動するときに、発生する絶縁油の摩擦抵抗によって、前記遮音板が電気機器本体から発生する騒音や振動を吸収するオイルダンパーとして作用するように構成したことを特徴とする静止誘導電気機器の防音装置。
【請求項３】
前記遮音板は、絶縁油を伝播する電気機器本体から発生する様々な周波数の騒音や振動を受けて変形することがない剛性を持つ板材又は変形することがない剛性を持つように補強ステーやリブ加工を行った板材であることを特徴とする請求項１及び請求項２記載の静止誘導電気機器の防音装置。
【発明の詳細な説明】
【技術分野】
【０００１】
本発明は、変圧器などの静止誘導電気機器から発生する騒音や振動を低減する防音装置に関する。
【背景技術】
【０００２】
防音建屋の内部に変圧器を配置し、変圧器の外箱から突出する複数のブッシングポケット等が防音建屋を貫通して外部に突き出た状態で設置した構造の防音変圧器は従来から知られている。（下記特許文献１参照）。
【０００３】
この防音変圧器は、変圧器を防音建屋内部に設置することにより、遮音あるいは吸音することで外部への騒音漏れを低減している。
【先行技術文献】
【特許文献】
【０００４】
【特許文献１】特公昭５９−０３２０４８
【特許文献２】特開平０１−２２０４１４
【発明の概要】
【発明が解決しようとする課題】
【０００５】
然るに、防音建屋内に変圧器を設置すると、防音建屋の設置スペースが必要な点や、防音建屋を貫通させてブッシングポケット等を設置する等、構造が複雑化する問題がある。一方、このような問題点のない変圧器として、変圧器の外箱内側に変圧器本体から絶縁油を介して伝達された振動を吸収する振動吸収体を有する変圧器が知られている（上記特許文献２参照）。
【０００６】
しかし、変圧器等の静止誘導電気機器から発生する騒音や振動には、様々な周波数の騒音や振動が含まれるが、吸収できる周波数帯は振動吸収体の材質によって決まっているので、１種類の振動吸収体では効率的に騒音を低減することができないことがある。
【０００７】
そこで、本発明では、前述の問題点を解決すべく、変圧器等の静止誘導電気機器の外形寸法を大きくすることなく、電気機器本体から発生する様々な周波数の騒音や振動を低減することができる防音装置を備えた変圧器を提示する。
【課題を解決するための手段】
【０００８】
請求項１記載の発明は、タンク内に電気機器本体と絶縁油を収納する静止誘導電気機器において、タンク内部のタンク側面から一定の間隔を開けて可動するように遮音板を取り付け、該遮音板が前記電気機器本体から発生する様々な周波数の騒音や振動を受けて前記タンク側面に対し垂直に動くことで、前記遮音板とタンク側面間の絶縁油が、前記遮音板とタンク側面間から吐出又は吸引される。この絶縁油の流動により、前記絶縁油に遮音板及びタンク側面との間で摩擦抵抗を発生させて、前記遮音板が電気機器本体から発生する騒音や振動を吸収するオイルダンパーとして作用するように構成した防音装置を備えたことに特徴を有する。
【０００９】
請求項２記載の発明は、タンク内に電気機器本体と絶縁油を収納する静止誘導電気機器において、タンク内部のタンク側面から一定の間隔を開けて可動するように遮音板を取り付け、かつ、前記遮音板の外周を形成する４辺から一定の間隔を開けてタンク側面に空隙板を取り付け、前記遮音板が電気機器本体から発生する様々な周波数の騒音や振動を受けて前記タンク側面に対し垂直に動くことで、前記遮音板とタンク側面間の絶縁油が遮音板と空隙板の間から吐出又は吸引される。この絶縁油の流動により、前記絶縁油に遮音板及び空隙板との間で摩擦抵抗を発生させて、前記遮音板が電気機器本体から発生する騒音や振動を吸収するオイルダンパーとして作用するように構成したことを特徴とする防音装置を備えたことに特徴を有する。
【００１０】
請求項３記載の発明は、請求項１又は請求項２記載の遮音板を、絶縁油を伝播する電気機器本体から発生する様々な周波数の騒音や振動を受けて変形することがない剛性を持つ板材又は変形することがない剛性を持つように補強ステーやリブ加工を行った板材で構成したことに特徴を有する。
【発明の効果】
【００１１】
請求項１記載の発明によれば、電気機器本体と絶縁油を収納する静止誘導電気機器のタンク内部に、該タンク側面から一定の間隔を開けて可動するように遮音板を取り付けることで、前記遮音板が電気機器本体から発生する様々な周波数の騒音や振動を受けて前記タンク側面に対し垂直に動き、前記遮音板とタンク側面間の絶縁油が遮音板とタンク側面間から吐出又は吸引される。前記遮音板とタンク側面間を絶縁油が移動するときに発生する絶縁油の摩擦抵抗により、前記遮音板がオイルダンパーとして作用して前記騒音及び振動の運動エネルギーを吸収するので、電気機器本体から発生する様々な周波数の騒音や振動を低減することができる。
【００１２】
請求項２記載の発明によれば、電気機器本体と絶縁油を収納する静止誘導電気機器のタンク内部に該タンク側面から一定の間隔を開けて可動するように遮音板を取り付け、さらに、前記遮音板の外周を形成する４辺から一定の間隔を開けてタンク側面に空隙板を取り付けることで、前記遮音板が電気機器本体から発生する様々な周波数の騒音や振動を受けて前記タンク側面に対し垂直に動くことで、前記遮音板とタンク側面間の絶縁油が前記遮音板と空隙板の間から吐出又は吸引される。前記遮音板と空隙板間を絶縁油が移動するときに発生する絶縁油の摩擦抵抗により、前記遮音板がオイルダンパーとして作用して前記騒音及び振動の運動エネルギーを吸収するので、電気機器本体から発生する様々な周波数の騒音や振動を低減することができる。
【００１３】
請求項３記載の発明によれば、請求項１及び請求項２記載の前記遮音板として、絶縁油を伝播する電気機器本体から発生する様々な周波数の騒音及び振動を受けて変形することがない板材にしたり、補強ステーやリブ加工を追加することで、前記遮音板全体で前記騒音及び振動の運動エネルギーを吸収することができるので、効率的に電気機器本体から発生する様々な周波数の騒音や振動を低減することができる。
【図面の簡単な説明】
【００１４】
【図１】本発明の実施例１に係る静止誘導電気機器の断面図である。
【図２】本発明の実施例２に係る静止誘導電気機器の要部拡大断面図である。
【発明を実施するための形態】
【００１５】
本発明の実施例１について図１を用いて説明する。図１は本発明の実施例１に係る静止誘導電気機器の断面図である。図１において、Ａは静止誘導電気機器であり、１は電気機器本体、２は電気機器本体１を冷却する絶縁油、３は電気機器本体１と絶縁油２を収納する静止誘導電気機器Ａのタンクである。
【００１６】
３ａはタンク３の側面（以下、タンク側面という）であり、４はタンク側面３ａに取り付けられたスタッドボルト、５はタンク側面３ａから一定の間隔を開けた状態でタンク側面３ａに垂直な方向で動くようにスタットボルト４に２つのスプリング６の間に挟んだ状態でナット７により取り付けられた遮音板である。
【００１７】
上記構成の静止誘導電気機器Ａは、タンク３内部に遮音板５から構成される防音装置を収納しているので静止誘導電気機器Ａの外部に防音壁等の防音設備を設置するスペースが必要ない。
【００１８】
本発明の実施例１では、タンク側面３ａと遮音板５の間に存在する絶縁油２は、電気機器本体１から発生する騒音や振動を受けた遮音板５が（図２に示すように）スプリング６ａとスプリング６ｂ間をタンク側面３ａに垂直な方向に振動すると遮音板５に押されてタンク側面３ａと遮音板５の外周を形成する四辺５ａの間から吐出又は吸引される。
【００１９】
粘度の高い絶縁油２がタンク側面３ａと遮音板５の間を移動して遮音板の四辺５ａより吐出又は吸引されたときに発生するタンク側面３ａと遮音板５との摩擦抵抗により、遮音板５が受けた電気機器本体１から発生する騒音や振動の運動エネルギーが吸収されて低減されるので、静止誘導電気機器Ａから前記騒音や振動がタンク３の外部に漏れることを防ぐことができる。
【００２０】
このように、遮音板５が電気機器本体１から発生する騒音や振動を受けて振動する動きを、絶縁油２がタンク側面３ａと遮音板の四辺５ａの間で吐出又は吸引される時に発生する前記タンク側面３ａと遮音板５との摩擦抵抗を利用したオイルダンパーの作用で吸収できるので、従来例に記載した吸収体がタンクの側面に固定された構造のように吸収できる周波数帯が限定されることはなく、様々な周波数の騒音や振動を低減することが可能である。
【００２１】
本発明の実施例２について図２を用いて説明する。図２は本発明の実施例２に係る静止誘導電気機器の防音装置の要部を拡大して示している。図２において、Ａは静止誘導電気機器であり、２は図示されない電気機器本体１を冷却する絶縁油、３は図示されない電気機器本体１と絶縁油２を収納する静止誘導電気機器Ａのタンクである。
【００２２】
３ａはタンク３のタンク側面であり、４はタンク側面３ａに取り付けられたスタッドボルト、５はタンク側面３ａから一定の間隔を開けた状態でタンク側面３ａに垂直な方向で動くようにスタットボルト４にスプリング６ａとスプリング６ｂの間に挟んだ状態でナット７により取り付けられた遮音板、８は遮音板５の外周を形成する四辺５ａから一定の間隔を開けてタンク側面３ａに固定された空隙板である。
【００２３】
本発明の実施例２では、タンク側面３ａと遮音板５の間に存在する絶縁油２は、図示されない電気機器本体１から発生する騒音や振動を受けた遮音板５が（図２に示すように）スプリング６ａとスプリング６ｂ間をタンク側面３ａに垂直な方向に振動すると、遮音板５の動きに合わせて遮音板５の四辺５ａと空隙板８の間で吐出又は吸引される。
【００２４】
粘度の高い絶縁油２が遮音板５の四辺５ａと空隙板８の間で吐出又は吸引されるときに発生する摩擦抵抗により、遮音板５が受けた騒音や振動の運動エネルギーが吸収されて低減されるので、静止誘導電気機器Ａから前記騒音や振動がタンク３の外部に漏れることを防ぐことができる。
【００２５】
また、図２に示すような空隙板８に換えて、空隙板８の板厚方向にスリットを開けた空隙板８を遮音板５の４辺５ａと当接する位置に固定し、タンク側面３ａと遮音板５の間に存在する絶縁油２が空隙板８のスリットを通して吐出又は吸引するときに発生するスリットとの摩擦抵抗を利用してもよい。
【００２６】
本発明の実施例３について図２を用いて説明する。図２は本発明の実施例２に係る静止誘導電気機器の防音装置の要部を拡大して示している。５は本発明の実施例１及び実施例２に記載の遮音板であり、９は遮音板５に取り付けられた補強ステーである。
【００２７】
本発明の実施例３では、遮音板５に補強ステー９を取り付けることで、静止誘導電気機器Ａから騒音や振動による遮音板５の変形を回避したり、遮音特性を制御することで、オイルダンパーの作用を効率よく発揮できる。
【００２８】
また、図２に示すような補強ステー９に換えて、遮音板５にリブ状の凹凸を施したり、遮音板５の材質を高張力鋼等の強度が高いものにすることで、変形の回避や遮音特性の制御を行ってもよい。
【００２９】
さらに、遮音板５をタンク側面３ａに取り付けているスタットボルト４の取り付け位置や本数、スプリング６、６ａ、６ｂのバネ定数を変えることで遮音板５の遮音特性を制御することもできる。
【００３０】
以上説明したように、本発明の防音装置によれば、静止誘導電気機器から発生する様々な周波数の騒音又は振動を簡単な構造により確実に低減することができる。
【産業上の利用可能性】
【００３１】
筐体内部に電気機器本体と絶縁油を収納する使用する各種電気機器に利用可能である。
【符号の説明】
【００３２】
Ａ  静止誘導電気機器
１  電気機器本体
２  絶縁油
３  静止誘導電気機器のタンク
３ａ  タンク側面
４  スタットボルト
５  遮音板
５ａ  遮音板の四辺
６、６ａ、６ｂ  スプリング
７  ナット
８  空隙板
９  補強ステー
【図１】
2019149490.tif 000003
【図２】
2019149490.tif 000004